(57)【要約】【課題】簡易な構成で、第三者の無断使用を排除することができる携帯端末等を提供する。【解決手段】携帯端末１０の制御部１０１の充電器識別情報取得部１０１２は、非接触通信部１０５が充電器の非接触ＩＣチップより受信した無線信号から、充電器の識別情報を取得する。充電器学習処理時には、充電器学習部１０１１は充電器識別情報取得部１０１２から入力された識別情報が新規の情報であれば、記憶部１０６の充電器識別情報リスト１０６１に追加する。充電制御処理時には、充電器識別情報比較判定部１０１３は、充電器識別情報取得部１０１２から入力された識別情報と、充電器識別情報リスト１０６１に含まれている識別情報を照合して一致した場合には、その照合結果を充電制御部１０１４に対して出力する。充電制御部１０１４は入力された照合結果に基づいて、充電管理部１０９に充電を開始するように制御信号を出力する。【選択図】図３
2013027249.tif 000002
【特許請求の範囲】
【請求項１】
外部充電器から供給される電力を充電する充電式電池と、
前記充電式電池に電力供給することを許可する前記外部充電器の識別情報を記憶する記憶手段と、
前記外部充電器が有する識別情報を読み取る識別情報読み取り手段と、
前記識別情報読み取り手段が読み取った識別情報が、前記記憶手段に記憶されている識別情報のいずれかに一致するか否かを判定する識別情報判定手段と、
前記識別情報判定手段が、一致していると判定した時に、前記外部充電器から前記充電式電池への充電を開始する制御を行う充電制御手段と、
を有することを特徴とする携帯端末。
【請求項２】
前記充電式電池に充電することを許可する前記外部充電器の識別情報を新たに学習して、前記記憶手段に記憶させる充電器学習手段と、
前記充電器学習手段による前記識別情報の学習を開始する学習開始操作を許可するユーザを認証するユーザ認証手段と、
を更に有し、
前記充電器学習手段は、前記ユーザ認証手段で認証されたユーザが前記学習開始操作を行うと、前記識別情報読み取り手段が新たに学習する前記外部充電器の識別情報を読み取り、読み取った前記識別情報を前記記憶手段に記憶する、
ことを特徴とする請求項１に記載の携帯端末。
【請求項３】
前記識別情報読み取り手段は、前記外部充電器が有する非接触ＩＣに記憶された識別情報を読み取る非接触ＩＣリーダである、
ことを特徴とする請求項１又は２に記載の携帯端末。
【請求項４】
前記充電制御手段は、前記記憶手段に識別情報が記憶されていない場合には、前記識別情報判定手段に判定結果に関わらず充電を開始する、
ことを特徴とする請求項１乃至３のいずれか一項に記載の携帯端末。
【請求項５】
識別情報を記憶する識別情報記憶手段と、
携帯端末が備える充電式電池に充電する電力を供給する電力供給手段と、
を有する充電器と、
前記充電器の電力供給手段から供給される電力を充電する充電式電池と、
前記充電式電池に充電することを許可する前記充電器の識別情報を記憶する充電器識別情報記憶手段と、
前記充電器が有する前記識別情報を読み取る識別情報読み取り手段と、
前記識別情報読み取り手段が読み取った前記識別情報が、前記記憶手段に記憶されている識別情報のいずれかに一致するか否かを判定する識別情報判定手段と、
前記識別情報判定手段が、一致していると判定した時に、前記外部充電器から前記充電式電池への充電を開始する制御を行う充電制御手段と、
を有する携帯端末と、
を備えることを特徴とする携帯端末充電システム。
【請求項６】
前記携帯端末は、
前記充電式電池に充電することを許可する前記充電器の識別情報を新たに学習して、前記記憶手段に記憶させる充電器学習手段と、
前記充電器学習手段による前記識別情報の学習を開始する学習開始操作を許可するユーザを認証するユーザ認証手段と、
を更に有し、
前記充電器学習手段は、前記ユーザ認証手段で認証されたユーザが前記学習開始操作を行うと、前記識別情報読み取り手段が新たに学習する前記外部充電器の識別情報を読み取り、読み取った前記識別情報を前記充電器識別情報記憶手段に記憶する、
ことを特徴とする請求項５に記載の携帯端末充電システム。
【請求項７】
前記携帯端末が有する前記識別情報読み取り手段は、前記充電器が有する非接触ＩＣに記憶された識別情報を読み取る非接触ＩＣリーダである、
ことを特徴とする請求項５又は６に記載の携帯端末充電システム。
【請求項８】
前記携帯端末が有する前記充電制御手段は、前記充電器識別情報記憶手段に識別情報が記憶されていない場合には、前記識別情報判定手段に判定結果に関わらず充電を開始する、
ことを特徴とする請求項５乃至７のいずれか一項に記載の携帯端末充電システム。
【請求項９】
識別情報を有する充電器から供給される電力を、携帯端末に備える充電式電池に充電する携帯端末充電方法であって、
前記充電式電池に充電することを許可する前記充電器の識別情報を記憶する充電器識別情報記憶ステップと、
前記充電器が有する前記識別情報を読み取る識別情報読み取りステップと、
前記識別情報読み取りステップで読み取った前記識別情報が、前記充電器識別情報記憶ステップで記憶された識別情報のいずれかに一致するか否かを判定する識別情報判定ステップと、
前記識別情報判定ステップで一致していると判定した時に、前記充電器から前記充電式電池への充電を開始する制御を行う充電制御ステップと、
を有することを特徴とする携帯端末充電方法。
【請求項１０】
識別情報を有する充電器から供給される電力を充電する充電式電池を備える携帯端末を制御するコンピュータに、
前記充電式電池に充電することを許可する前記充電器の識別情報を記憶する充電器識別情報記憶手順と、
前記充電器が有する前記識別情報を読み取る識別情報読み取り手順と、
前記識別情報読み取り手順で読み取った前記識別情報が、前記充電器識別情報記憶手順で記憶された識別情報のいずれかに一致するか否かを判定する識別情報判定手順と、
前記識別情報判定手順で一致していると判定した時に、前記充電器から前記充電式電池への充電を開始する制御を行う充電制御手順と、
を実行させるためのプログラム。
【発明の詳細な説明】
【技術分野】
【０００１】
本発明は、携帯端末、携帯端末充電システム、携帯端末充電方法、及びプログラムに関する。
【背景技術】
【０００２】
携帯端末には、盗難にあった時に、秘匿性が高いデータが漏洩するのを回避するため、データが記憶されている記憶部へのアクセスをロックする機能を有するものがある。
【０００３】
一方、盗難の目的が、データの取得ではなく携帯端末の使用であった場合、他の充電器で充電することにより携帯端末を使われ続ける恐れがあった。
【０００４】
これに対し、充電器に端末識別機能を備えることにより、予め登録した識別情報を有する端末にのみ充電可能とする充電器が提案されている（特許文献１、特許文献２）。
【０００５】
特許文献１及び特許文献２には、携帯端末に、該端末を識別する識別情報を記憶するＲＦＩＤ部を備え、そのＲＦＩＤ部から送信される識別情報を充電器が受信し、充電器は記憶部に予め記憶しておいた充電を許可する携帯端末の識別情報と、受信した識別情報を照合し、一致した場合には、その識別情報を有する携帯端末に対して送電を行う構成について記載されている。
【先行技術文献】
【特許文献】
【０００６】
【特許文献１】特開２００６−０４１６３９号公報
【特許文献２】特開２００７−２４９３０５号公報
【発明の概要】
【発明が解決しようとする課題】
【０００７】
しかし、特許文献１及び特許文献２に記載の構成によれば、充電器の記憶部に充電を許可する携帯端末の識別情報を記憶しておくため、外出先で携帯端末の充電が必要となった場合に、識別情報が記憶されていない他の充電器で充電ができないという課題がある。また、外出先で充電をするために、充電器を持ち運ぶことになると、充電器の盗難にも警戒する必要が生じてしまう。
【０００８】
また、新たな携帯端末の充電を行いたい場合には、充電器側にその携帯端末の識別情報を記憶させるための入力手段等が必要となり、充電器の構成が複雑になるという課題がある。
【０００９】
本発明は、上記実情に鑑みてなされたものであり、簡易な構成で、第三者の無断使用を排除することができる携帯端末等を提供することを目的とする。
【課題を解決するための手段】
【００１０】
上記目的を達成するため、本発明の第１の観点に係る携帯端末は、
外部充電器から供給される電力を充電する充電式電池と、
前記充電式電池に電力供給することを許可する前記外部充電器の識別情報を記憶する記憶手段と、
前記外部充電器が有する識別情報を読み取る識別情報読み取り手段と、
前記識別情報読み取り手段が読み取った識別情報が、前記記憶手段に記憶されている識別情報のいずれかに一致するか否かを判定する識別情報判定手段と、
前記識別情報判定手段が、一致していると判定した時に、前記外部充電器から前記充電式電池への充電を開始する制御を行う充電制御手段と、
を有することを特徴とする。
【００１１】
また、本発明の第２の観点に係る携帯端末充電システムは、
識別情報を記憶する識別情報記憶手段と、
携帯端末が備える充電式電池に充電する電力を供給する電力供給手段と、
を有する充電器と、
前記充電器の電力供給手段から供給される電力を充電する充電式電池と、
前記充電式電池に充電することを許可する前記充電器の識別情報を記憶する充電器識別情報記憶手段と、
前記充電器が有する前記識別情報を読み取る識別情報読み取り手段と、
前記識別情報読み取り手段が読み取った前記識別情報が、前記記憶手段に記憶されている識別情報のいずれかに一致するか否かを判定する識別情報判定手段と、
前記識別情報判定手段が、一致していると判定した時に、前記外部充電器から前記充電式電池への充電を開始する制御を行う充電制御手段と、
を有する携帯端末と、
を備えることを特徴とする。
【００１２】
また、本発明の第３の観点に係る携帯端末充電方法は、
識別情報を有する充電器から供給される電力を、携帯端末に備える充電式電池に充電する携帯端末充電方法であって、
前記充電式電池に充電することを許可する前記充電器の識別情報を記憶する充電器識別情報記憶ステップと、
前記充電器が有する前記識別情報を読み取る識別情報読み取りステップと、
前記識別情報読み取りステップで読み取った前記識別情報が、前記充電器識別情報記憶ステップで記憶された識別情報のいずれかに一致するか否かを判定する識別情報判定ステップと、
前記識別情報判定ステップで一致していると判定した時に、前記充電器から前記充電式電池への充電を開始する制御を行う充電制御ステップと、
を有することを特徴とする。
【００１３】
また、本発明の第４の観点に係るプログラムは、
識別情報を有する充電器から供給される電力を充電する充電式電池を備える携帯端末を制御するコンピュータに、
前記充電式電池に充電することを許可する前記充電器の識別情報を記憶する充電器識別情報記憶手順と、
前記充電器が有する前記識別情報を読み取る識別情報読み取り手順と、
前記識別情報読み取り手順で読み取った前記識別情報が、前記充電器識別情報記憶手順で記憶された識別情報のいずれかに一致するか否かを判定する識別情報判定手順と、
前記識別情報判定手順で一致していると判定した時に、前記充電器から前記充電式電池への充電を開始する制御を行う充電制御手順と、
を実行させることを特徴とする。
【発明の効果】
【００１４】
本発明によれば、簡易な構成で、第三者による携帯端末の無断使用を排除することができる。
【図面の簡単な説明】
【００１５】
【図１】本発明の実施形態に係る携帯端末充電システムの構成を示すブロック図である。
【図２】本発明の実施形態に係る携帯端末の内部構成を示すブロック図である。
【図３】携帯端末の充電制御を説明するための機能ブロック図である。
【図４】充電器学習処理を示すフローチャートである。
【図５】充電制御処理を示すフローチャートである。
【図６】充電器登録情報消去処理を示すフローチャートである。
【図７】携帯端末の機能を説明するための機能ブロック図である。
【発明を実施するための形態】
【００１６】
以下、本発明の実施形態について図面を参照して詳細に説明する。
【００１７】
本実施形態に係る携帯端末充電システム１は、図１に示すように、充電式電池１０７を備える携帯端末１０と、充電式電池１０７に充電する電力を供給する充電器２０から構成される。充電器２０は非接触ＩＣチップ２０１を備え、携帯端末１０に内蔵する非接触通信部１０５が非接触ＩＣチップ２０１に記憶されている識別情報を読み取ることにより、充電を許可する充電器２０を判別するというものである。以下、本システムの各構成機器について説明する。
【００１８】
充電器２０は、外部の電源から受電した電力を、携帯端末１０に合わせた形式の電力に変換し携帯端末１０に電力供給する。本実施形態においては、図１に示すように、外部のＡＣ電源（図示せず）からＡＣケーブル２２を介して受電したＡＣ電力を、ＡＣ／ＤＣ変換部２０３でＤＣ電力に変換し、送電コネクタ２０２より出力する。
【００１９】
充電器２０から携帯端末１０への電力伝送は、図１に示すように、充電器２０の送電コネクタ２０２と携帯端末１０の受電コネクタ１０８を電気的に接続し、接触電力伝送を行う。
【００２０】
充電器２０は、非接触ＩＣチップ２０１を内蔵している。非接触ＩＣチップ２０１は、充電器２０を識別する識別情報を記憶しており、非接触ＩＣチップ２０１用のリーダからの要求に応答して非接触ＩＣチップ２０１が識別情報を含むデータ信号を送信する。リーダはそのデータ信号を受信することにより識別情報を読み取ることができる。識別情報は、充電器２０の規格情報や純正品であることを示す情報や充電器２０を個体識別するためのシリアルナンバー等を含んでもよい。
【００２１】
非接触ＩＣチップ２０１の、チップ電源供給方法やリーダとの通信距離や使用周波数帯等を定める通信方式は、任意の方式でよい。携帯端末１０に搭載する非接触通信部１０５が非接触ＩＣチップ２０１のリーダとして機能するため、非接触通信部１０５で読み取り可能な方式とする。
【００２２】
充電器２０はセキュリティワイヤ２１で固定物に固定しても良い。これにより、携帯端末１０が盗難される場合であっても充電器２０の盗難を防止することにより、盗難者が携帯端末１０を使い続けることを防ぐことができる。
【００２３】
携帯端末１０は、携帯電話、デジタルカメラ、ゲーム機、ノートパソコン等の持ち運びが可能な端末であり、端末が有する機能を実現する各機能部は、内蔵または外付けする充電式電池１０７に充電された電力により駆動される。
【００２４】
携帯端末１０は、図２に示すように、制御部１０１、メモリ１０２、表示部１０３、操作部１０４、非接触通信部１０５、記憶部１０６、充電式電池１０７、受電コネクタ１０８、充電管理部１０９から構成される。なお、図２は、携帯端末１０の充電制御に関わる構成部のみを示しており、携帯電話の電話通信部やデジタルカメラの撮像部等の他の構成部は省略している。
【００２５】
制御部１０１は、ＣＰＵ（Central Processing Unit）等から構成され、携帯端末１０の各構成部を制御すると共に、記憶部１０６に記憶されている各種プログラムを実行することにより、充電制御等の携帯端末１０の有する機能を実現する。
【００２６】
メモリ１０２は、ワーク領域を有する内部メモリで、ＤＲＡＭ (Direct Random Access Memory) 、ＳＤＲＡＭ (Synchronous DRAM) 等から構成されており、記憶部１０６から読み出したデータや、非接触通信部１０５で読み取ったデータを処理するために、それらのデータを一時記憶する。
【００２７】
表示部１０３は、例えば、ＬＣＤ（Liquid Crystal Display）や有機ＥＬ（Electro -Luminescence）ディスプレイ等の表示デバイスから構成され、画像、図形、文字、記号などの情報表示出力を行う。表示部１０３には、後述する充電器学習処理、充電器登録情報消去処理等の各種処理実行のための操作画面を表示したり、各処理におけるエラーメッセージ等を表示する。
【００２８】
操作部１０４は、方向キー、決定キー、テンキー、ファンクションキー等の各種のキーボタンやダイヤル等から構成され、ユーザからの操作入力を受け付け、受け付けた操作入力に係る信号を制御部１０１に送出する。操作部１０４はユーザから、例えば、後述する充電器学習処理又は充電器登録情報消去処理を開始するための入力操作や、各処理を実行する際のユーザ認証のための入力操作を受け付ける。
【００２９】
非接触通信部１０５は、非接触ＩＣチップリーダから構成され、充電器２０に備えられた非接触ＩＣチップ２０１から送信されるデータ信号を受信することにより、そのデータ信号に含まれる充電器２０の識別情報を読み取る。非接触通信部１０５は、非接触ＩＣチップ２０１の通信方式に則った方式により通信を行う。
【００３０】
記憶部１０６は、例えば、フラッシュメモリ等の読み書き可能な不揮発性の半導体メモリから構成され、携帯端末１０の有する各種機能で用いるデータを記憶する。本実施形態では、記憶部１０６は、充電を許可する充電器２０の識別情報リスト１０６１を記憶している。記憶部１０６に記憶された、充電器識別情報リスト１０６１を含むデータはユーザの操作や制御部１０１の制御により書き換え可能な構成である。
【００３１】
また、記憶部１０６は、充電器学習処理、充電制御処理、充電器登録情報消去処理等の携帯端末１０が実行する処理のプログラム等も記憶する。
【００３２】
充電式電池１０７は、充電が可能な電池であり、携帯端末１０の各構成部を駆動するための電力を供給する。例えばリチウムイオン電池やニッケル水素電池等から構成される。
【００３３】
充電管理部１０９は、充電式電池１０７の充電状況を監視するとともに、受電コネクタ１０８と充電器２０の送電コネクタ２０２との接続状況を監視する。これらの監視により検出された情報を制御部１０１に出力すると共に、制御部１０１から出力される制御信号に基づいて、受電コネクタ１０８を介して受電する電力の充電式電池１０７への供給を制御する。
【００３４】
ここで、充電管理部１０９は、受電コネクタを介して受電する電力を起電力として機能する。充電管理部１０９は、充電式電池１０７に蓄電された電力で制御部１０１が駆動しているときには、制御部１０１から出力される制御信号に基づいて充電式電池１０７への電力供給を制御する。一方、充電式電池１０７に電力が蓄電されていないために制御部１０１が駆動しない場合には、制御部１０１の充電制御に必要な最低限の電力を供給するため、例えば、充電管理部１０９は、充電式電池１０７に充電してもよい。
【００３５】
次に、以上のように構成された携帯端末充電システム１による充電機能の動作を、図３乃至６を参照して説明する。
【００３６】
携帯端末１０の制御部１０１は、図３に示すように、充電器学習部１０１１、充電器識別情報取得部１０１２、充電器識別情報比較判定部１０１３、充電制御部１０１４の各機能部から構成される。
【００３７】
非接触通信部１０５が、充電器２０の非接触ＩＣチップ２０１が送信する充電器２０の識別情報を含むデータ信号を受信すると、充電器識別情報取得部１０１２は、受信したデータ信号から充電器２０の識別情報を取得する。充電器識別情報取得部１０１２は、図４に示す充電器学習処理を実行しているときには、取得した充電器２０の識別情報を充電器学習部１０１１に出力する。一方、図５に示す充電制御処理を実行しているときには、取得した充電器２０の識別情報を充電器識別情報比較判定部１０１３に出力する。
【００３８】
充電器学習部１０１１は、充電器識別情報取得部１０１２から入力された識別情報が新規の情報であった場合には、その識別情報を記憶部１０６の充電器識別情報リスト１０６１に追加する。
【００３９】
充電器識別情報比較判定部１０１３は、充電器識別情報取得部１０１２から入力された識別情報と、充電器識別情報リスト１０６１に含まれている識別情報を照合して、両者が一致した場合に、その照合結果を充電制御部１０１４に対して出力する。
【００４０】
充電制御部１０１４は入力された照合結果に基づいて、充電開始を指示する制御信号を充電管理部１０９に出力する。その制御信号を受けた充電管理部１０９は、受電コネクタ１０８で受電した電力を充電式電池１０７に供給開始する。充電式電池１０７は、供給された電力により充電される。
【００４１】
以上のように構成された制御部１０１が実行する処理を図４乃至６のフローチャートを用いて詳細に説明する。図４は、充電器学習処理を示すフローチャートであり、図５は、充電制御処理を示すフローチャートであり、図６は、充電器登録情報消去処理を示すフローチャートである。各処理は互いに独立して実行される。
【００４２】
まず、充電器学習処理について図４に沿って説明する。充電器学習処理は、充電に係る設定画面を表示部１０３に表示させたときに、操作部１０４から充電器学習の処理実行を選択する操作が入力されると処理を開始する。
【００４３】
制御部１０１は、暗証番号の入力画面を表示部１０３に表示させて、ユーザに暗証番号入力を促す（ステップＳ１０１）。これに対し、ユーザが操作部１０４を操作して暗証番号を入力する。入力した暗証番号により認証が成功した場合には（ステップＳ１０２：Ｙｅｓ）、制御部１０１に備えるタイマーをスタートさせて（ステップＳ１０３）、非接触ＩＣチップを検出するまで待機する（ステップＳ１０４）。一方、認証が成功しなかった場合には（ステップＳ１０２：Ｎｏ）、エラーメッセージを表示部１０３に表示して再度暗証番号入力を促す。
【００４４】
非接触通信部１０５は非接触ＩＣチップから送信される無線信号を受信すると、無線信号を制御部１０１で取り扱い可能な電気信号に変換して制御部１０１に入力する。制御部１０１の充電器識別情報取得部１０１２は、非接触通信部１０５からの信号入力により非接触ＩＣチップを検出すると（ステップＳ１０４：Ｙｅｓ）、入力信号から識別情報を抽出し取得する（ステップＳ１０５）。充電器識別情報取得部１０１２は、取得した識別情報を充電器学習部１０１１に対して出力する。
【００４５】
一方、非接触ＩＣチップを検出しない場合（ステップＳ１０４：Ｎｏ）、タイマーが満了したか否かを判定する（ステップＳ１０６）。タイマーが満了していないと判定すると（ステップＳ１０６：Ｎｏ）、非接触ＩＣチップの検出を継続する（ステップＳ１０４）。タイマーが満了したと判定すると（ステップＳ１０６：Ｙｅｓ）、充電器を検出できなかった旨のエラーメッセージを表示して（ステップＳ１１０）処理を終了する。
【００４６】
ステップＳ１０５で取得する充電器を識別する識別情報は、任意の情報を含んでよいが、本実施形態では、充電器の種類を示す情報と、同じ種類の充電器の中で個体識別する情報から構成されている。
【００４７】
充電器学習部１０１１は、入力された識別情報から充電器の種類を示す情報を抽出し、携帯端末１０の仕様に適合した充電器の種類であるか否かを判定する（ステップＳ１０７）。携帯端末１０に適合する充電器の種類であると判定された場合は（ステップＳ１０７：Ｙｅｓ）、ステップＳ１０８に進む。一方、入力された識別情報が携帯端末１０に適合しない充電器の種類を示す識別情報と判定された場合には（ステップＳ１０７：Ｎｏ）、この充電器は適合機種でないため登録できない旨のエラーメッセージを表示して（ステップＳ１１０）処理を終了する。
【００４８】
ステップＳ１０８では、取得した識別情報を記憶部１０６の充電器識別情報リスト１０６１に記憶されている識別情報と照合し、一致する識別情報がなかった場合には（ステップＳ１０８：Ｎｏ）、充電器識別情報リスト１０６１に追加登録する（ステップＳ１０９）。一方、一致する識別情報があった場合には、（ステップＳ１０８：Ｙｅｓ）、この充電器は既に登録されているため追加登録できない旨のエラーメッセージを表示して（ステップＳ１１０）処理を終了する。
【００４９】
次に、充電制御処理について図５に沿って説明する。充電制御処理は、受電コネクタ１０８を充電器２０の送電コネクタ２０２に接続して、充電管理部１０９が駆動開始したことを契機に処理を開始する。なお、充電式電池１０７に充電されていないために制御部１０１が駆動していない場合には、充電管理部１０９の制御により、充電制御に必要な最低限の電力が充電式電池１０７に充電され、その後、充電制御処理が開始される。
【００５０】
まず、制御部１０１は、記憶部１０６の充電器識別情報リスト１０６１に登録されている識別情報があるか否かを判定する（ステップＳ２０１）。充電器識別情報リスト１０６１に登録されている識別情報がない場合には（ステップＳ２０１：Ｎｏ）、ステップＳ２０４に進み、充電を開始する。
【００５１】
ここで、充電器識別情報リスト１０６１に登録されている識別情報がない場合に充電を開始するとしたのは、以下の２つの理由による。１つ目は、携帯端末１０の初期設定時に充電が可能となるようにするためである。２つ目は、外出中に、充電器識別情報リスト１０６１に登録している識別情報を有する充電器がないために充電ができない場合に、一時的に充電器識別情報リスト１０６１に登録されている識別情報を消去して、充電可能となるようにするためである。充電器識別情報リスト１０６１の登録情報の消去処理（充電器登録情報消去処理）は後述する。
【００５２】
一方、充電器識別情報リスト１０６１に登録されている識別情報がある場合には（ステップＳ２０１：Ｙｅｓ）、制御部１０１の充電器識別情報取得部１０１２が、携帯端末１０に接続されている充電器２０の識別情報を取得する（ステップＳ２０２）。
【００５３】
すなわち、携帯端末１０が充電器２０に接続された状態のとき、携帯端末１０と充電器２０の間の距離は非接触通信が可能な距離であるため、非接触通信部１０５は非接触ＩＣチップから送信される無線信号を受信する。非接触通信部１０５は、無線信号を制御部１０１で取り扱い可能な電気信号に変換して制御部１０１に入力する。制御部１０１の充電器識別情報取得部１０１２は、非接触通信部１０５からの入力信号から識別情報を抽出し取得する（ステップＳ２０２）。充電器識別情報取得部１０１２は、取得した識別情報を充電器識別情報比較判定部１０１３に入力する。
【００５４】
充電器識別情報比較判定部１０１３は、充電器識別情報取得部１０１２から入力された識別情報を記憶部１０６の充電器識別情報リスト１０６１に記憶されている識別情報と照合し、一致する識別情報があった場合には（ステップＳ２０３：Ｙｅｓ）、その照合結果を示す信号を充電制御部１０１４に出力する。充電制御部１０１４は、入力された信号に基づいて、現在接続されている充電器２０が充電を許可する充電器であると判定し、充電管理部１０９に充電を開始させるように指示する制御信号を出力する（ステップＳ２０４）。一方、一致する識別情報がなかった場合には（ステップＳ２０３：Ｎｏ）、この充電器２０は充電を許可する充電器として登録されていないため、充電できない旨のエラーメッセージを表示部１０３に表示して（ステップＳ２０５）処理を終了する。
【００５５】
ステップＳ２０４で充電を開始した後は、充電管理部１０９が充電式電池１０７の充電量を監視する。充電管理部１０９は充電量が満了となった時、充電を停止すると共に、充電量が満了となったことを示す信号を制御部１０１に出力する。制御部１０１は、その信号が入力されたか否かにより充電量が満了となったか否かを判定する（ステップＳ２０６）。充電量が満了となっていないと判定した場合には（ステップＳ２０６：Ｎｏ）、何ら処理を行わず充電が継続される。一方、充電量が満了となったと判定すると（ステップＳ２０６：Ｙｅｓ）制御部１０１は処理を終了する。
【００５６】
次に、充電器登録情報消去処理について図６に沿って説明する。充電器登録情報消去処理は、充電に係る設定画面を表示部１０３に表示させたときに、操作部１０４から充電器登録情報消去処理の実行を選択する操作が入力されると処理を開始する。
【００５７】
この処理は、前述した充電制御処理において、記憶部１０６の充電器識別情報リスト１０６１に登録されている識別情報がない場合には（図５、ステップＳ２０１：Ｎｏ）、充電を開始させる（ステップＳ２０４）機能を有していることに対応して、充電器識別情報リスト１０６１に登録されている識別情報を消去して、充電可能とするようにしたものである。
【００５８】
制御部１０１は、暗証番号の入力画面を表示部１０３に表示させ、ユーザに暗証番号の入力を促す（ステップＳ３０１）。これに対し、ユーザが操作部１０４を操作して暗証番号を入力する。入力した暗証番号により認証が成功した場合には（ステップＳ３０２：Ｙｅｓ）、次の処理（ステップＳ３０３）に進む。一方、入力した暗証番号が登録されている番号と異なり認証が成功しなかった場合には（ステップＳ３０２：Ｎｏ）再度暗証番号の入力指示を行う（ステップＳ３０１）。
【００５９】
ステップＳ３０３では、充電器識別情報リスト１０６１に登録されている識別情報を消去することを確認するメッセージを表示部１０３に表示させる。これに対し、ユーザが操作部１０４を操作して消去することを確認し、確認ボタンを押した場合には（ステップＳ３０４：Ｙｅｓ）、記憶部１０６の、充電器識別情報リスト１０６１に登録されている識別情報を消去して処理を終了する（ステップＳ３０５）。一方、ユーザが消去処理を止めると判断し、処理のキャンセルを指示するキャンセルボタンを押した場合には（ステップＳ３０４：Ｎｏ）、処理を終了する。
【００６０】
以上説明したように、本実施形態においては、充電を許可する充電器の識別情報のリストを携帯端末１０の記憶部１０６に予め記憶させておき、携帯端末１０を充電器２０に接続した時には、充電器２０に備える非接触ＩＣチップ２０１に記憶する識別情報を取得して、記憶部１０６に記憶させている識別情報リストと照合して、一致した場合にのみ充電を開始するとした。これにより、充電器２０に非接触ＩＣチップを備えるという簡易な構成で、第三者が無断で携帯端末１０に充電することにより、携帯端末１０の無断使用を継続させることを回避させることができる。また、充電器学習処理によって、充電を許可する充電器２０をユーザが任意に設定することができるため、あとから充電器を買い換えたり、買い足した場合でも、その充電器によって携帯電話１０へ充電させるように設定することができる。
【００６１】
このように本発明は、充電を許可する充電器の識別情報を携帯端末の記憶部に予め記憶させておき、充電器が有する識別情報を携帯端末が読み取り、読み取った識別情報と記憶されている識別情報が一致するか否かを判定し、その結果に基づいて充電器からの充電を制御するとした。これにより、簡易な構成で、第三者の携帯端末の無断使用を排除することができる。
【００６２】
なお、本発明は、上記実施の形態に限定されず、本発明の要旨を逸脱しない範囲での種々の変更は勿論可能である。
【００６３】
例えば、本発明に係る携帯端末は、図７に示すように、制御部１０１の充電器識別情報取得部１０１２と、充電器識別情報比較判定部１０１３と、充電制御部１０１４と、記憶部１０６と、充電式電池１０７とを少なくとも有する構成であればよい。この場合、充電式電池１０７は外部充電器から供給される電力を充電し、記憶部１０６は充電式電池１０７に電力供給することを許可する外部充電器の識別情報を記憶し、充電器識別情報取得部１０１２は外部充電器が有する識別情報を読み取り、充電器識別情報比較判定部１０１３は充電器識別情報取得部１０１２が読み取った識別情報が、記憶部１０６に記憶されている識別情報のいずれかに一致するか否かを判定し、充電制御部１０１４は充電器識別情報比較判定部１０１３が一致していると判定した時に、外部充電器から充電式電池１０７への充電を開始する制御を行う。上記の簡易な構成の携帯端末は、第三者の無断使用を排除することができる。
【００６４】
また、上記実施形態において、識別情報を記憶する非接触ＩＣチップ２０１を備える充電器２０から携帯端末１０に電力供給する構成としたが、電力を供給する供給源は充電器２０に限られず、非接触ＩＣチップ２０１を備えたＡＣコンセント等、他の電力供給源であってもよい。
【００６５】
また、充電器２０から供給される電力を携帯端末１０の充電式電池１０７に充電する構成としたが、ＡＣコンセントから供給される電力をそのまま携帯端末１０の駆動用の電力として供給する構成であってもよい。この場合には、ＡＣコンセントに識別情報を記憶する非接触ＩＣチップ２０１を備え、非接触通信部を備えるＡＣプラグをＡＣコンセントに差し込んだ時に識別情報の取得、照合を行って電力供給を制御するようにする。
【００６６】
また、充電器２０の識別情報を充電器に備えた非接触ＩＣチップ２０１から携帯端末１０に無線送信するとしたが、識別情報の取得方法はこれに限られず、赤外線通信等、任意の通信方法による通信で取得してもよい。また、充電器２０の送電コネクタ２０２から携帯端末１０の受電コネクタ１０８への電力伝送線を用いて送信してもよい。また、充電器２０に付したバーコードを携帯端末１０に備えるバーコードリーダで読み取るようにしてもよい。
【００６７】
また、充電器識別情報リスト１０６１に登録する識別情報の数は、１以上の任意の数でよい。登録数を少なく設定した場合には、不正登録を回避することができる。
【００６８】
また、充電器２０から携帯端末１０への電力伝送は接触電力伝送としたが、電磁誘導などを用いた非接触電力伝送でもよい。この場合は非接触電力伝送が可能な携帯端末と充電器間の距離において、識別情報を含む無線信号の伝送も可能となるように無線通信方法を選択する。
【００６９】
また、充電制御処理において、充電器識別情報リスト１０６１に登録されている識別情報がない場合に充電開始するようにしたが、識別情報の読み取りを一時的に無効にする設定が可能な構成にして、一時的な無効時には充電できるようにしてもよい。この場合、一時的な無効の設定には、暗証番号等による認証を行い、認証が成功した場合に時間を制限した上で識別情報の読み取りを無効にする。そして、図５に示す充電制御処理のフローチャートにおいてステップＳ２０２の前に、識別情報の読み取りが一時的に無効となっているか否かを判定し、一時的に無効となっている場合には、ステップＳ２０４に遷移して充電を開始するように処理を行う。これにより、外出時に一時的に識別情報の読み取りを無効にしても、帰宅時には以前に登録した充電器の識別情報が有効となり、再登録の手間を省くことができる。
【００７０】
また、上記実施形態の制御部１０１が実行した処理のプログラムを、既存の携帯端末に適用することで、当該携帯端末を本発明に係る携帯端末として機能させることも可能である。
【００７１】
このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカード等のコンピュータ読み取り可能な記録媒体に格納して配布してもよいし、携帯電話網やインターネット等の通信ネットワークを介して配布してもよい。
【００７２】
上記の実施形態の一部又は全部は、以下の付記のようにも記載されうるが、以下には限られない。
【００７３】
（付記１）
外部充電器から供給される電力を充電する充電式電池と、
前記充電式電池に電力供給することを許可する前記外部充電器の識別情報を記憶する記憶手段と、
前記外部充電器が有する識別情報を読み取る識別情報読み取り手段と、
前記識別情報読み取り手段が読み取った識別情報が、前記記憶手段に記憶されている識別情報のいずれかに一致するか否かを判定する識別情報判定手段と、
前記識別情報判定手段が、一致していると判定した時に、前記外部充電器から前記充電式電池への充電を開始する制御を行う充電制御手段と、
を有することを特徴とする携帯端末。
【００７４】
（付記２）
前記充電式電池に充電することを許可する前記外部充電器の識別情報を新たに学習して、前記記憶手段に記憶させる充電器学習手段と、
前記充電器学習手段による前記識別情報の学習を開始する学習開始操作を許可するユーザを認証するユーザ認証手段と、
を更に有し、
前記充電器学習手段は、前記ユーザ認証手段で認証されたユーザが前記学習開始操作を行うと、前記識別情報読み取り手段が新たに学習する前記外部充電器の識別情報を読み取り、読み取った前記識別情報を前記記憶手段に記憶する、
ことを特徴とする付記１に記載の携帯端末。
【００７５】
（付記３）
前記識別情報読み取り手段は、前記外部充電器が有する非接触ＩＣに記憶された識別情報を読み取る非接触ＩＣリーダである、
ことを特徴とする付記１又は２に記載の携帯端末。
【００７６】
（付記４）
前記充電制御手段は、前記記憶手段に識別情報が記憶されていない場合には、前記識別情報判定手段に判定結果に関わらず充電を開始する、
ことを特徴とする付記１乃至３のいずれか一つに記載の携帯端末。
【００７７】
（付記５）
識別情報を記憶する識別情報記憶手段と、
携帯端末が備える充電式電池に充電する電力を供給する電力供給手段と、
を有する充電器と、
前記充電器の電力供給手段から供給される電力を充電する充電式電池と、
前記充電式電池に充電することを許可する前記充電器の識別情報を記憶する充電器識別情報記憶手段と、
前記充電器が有する前記識別情報を読み取る識別情報読み取り手段と、
前記識別情報読み取り手段が読み取った前記識別情報が、前記記憶手段に記憶されている識別情報のいずれかに一致するか否かを判定する識別情報判定手段と、
前記識別情報判定手段が、一致していると判定した時に、前記外部充電器から前記充電式電池への充電を開始する制御を行う充電制御手段と、
を有する携帯端末と、
を備えることを特徴とする携帯端末充電システム。
【００７８】
（付記６）
前記携帯端末は、
前記充電式電池に充電することを許可する前記充電器の識別情報を新たに学習して、前記記憶手段に記憶させる充電器学習手段と、
前記充電器学習手段による前記識別情報の学習を開始する学習開始操作を許可するユーザを認証するユーザ認証手段と、
を更に有し、
前記充電器学習手段は、前記ユーザ認証手段で認証されたユーザが前記学習開始操作を行うと、前記識別情報読み取り手段が新たに学習する前記外部充電器の識別情報を読み取り、読み取った前記識別情報を前記充電器識別情報記憶手段に記憶する、
ことを特徴とする付記５に記載の携帯端末充電システム。
【００７９】
（付記７）
前記携帯端末が有する前記識別情報読み取り手段は、前記充電器が有する非接触ＩＣに記憶された識別情報を読み取る非接触ＩＣリーダである、
ことを特徴とする付記５又は６に記載の携帯端末充電システム。
【００８０】
（付記８）
前記携帯端末が有する前記充電制御手段は、前記充電器識別情報記憶手段に識別情報が記憶されていない場合には、前記識別情報判定手段に判定結果に関わらず充電を開始する、
ことを特徴とする付記５乃至７のいずれか一つに記載の携帯端末充電システム。
【００８１】
（付記９）
識別情報を有する充電器から供給される電力を、携帯端末に備える充電式電池に充電する携帯端末充電方法であって、
前記充電式電池に充電することを許可する前記充電器の識別情報を記憶する充電器識別情報記憶ステップと、
前記充電器が有する前記識別情報を読み取る識別情報読み取りステップと、
前記識別情報読み取りステップで読み取った前記識別情報が、前記充電器識別情報記憶ステップで記憶された識別情報のいずれかに一致するか否かを判定する識別情報判定ステップと、
前記識別情報判定ステップで一致していると判定した時に、前記充電器から前記充電式電池への充電を開始する制御を行う充電制御ステップと、
を有することを特徴とする携帯端末充電方法。
【００８２】
（付記１０）
識別情報を有する充電器から供給される電力を充電する充電式電池を備える携帯端末を制御するコンピュータに、
前記充電式電池に充電することを許可する前記充電器の識別情報を記憶する充電器識別情報記憶手順と、
前記充電器が有する前記識別情報を読み取る識別情報読み取り手順と、
前記識別情報読み取り手順で読み取った前記識別情報が、前記充電器識別情報記憶手順で記憶された識別情報のいずれかに一致するか否かを判定する識別情報判定手順と、
前記識別情報判定手順で一致していると判定した時に、前記充電器から前記充電式電池への充電を開始する制御を行う充電制御手順と、
を実行させるためのプログラム。
【符号の説明】
【００８３】
１  携帯端末充電システム
１０  携帯端末
１０１  制御部
１０１１  充電器学習部
１０１２  充電器識別情報取得部
１０１３  充電器識別情報比較判定部
１０１４  充電制御部
１０２  メモリ
１０３  表示部
１０４  操作部
１０５  非接触通信部
１０６  記憶部
１０６１  充電器識別情報リスト
１０７  充電式電池
１０８  受電コネクタ
１０９  充電管理部
２０  充電器
２０１  非接触ＩＣチップ
２０２  送電コネクタ
２０３  ＡＣ／ＤＣ変換部
２１  セキュリティワイヤ
２２  ＡＣケーブル
【図１】
2013027249.tif 000003
【図２】
2013027249.tif 000004
【図３】
2013027249.tif 000005
【図４】
2013027249.tif 000006
【図５】
2013027249.tif 000007
【図６】
2013027249.tif 000008
【図７】
2013027249.tif 000009